(57)【要約】【課題】複数の通信部を備えても消費電力を抑制すること。【解決手段】１つの態様に係る電子機器（携帯電話機）３０は、通信部６ａと、通信部６ｂとを備える。通信部６ａは、基地局（中継器）９１を介して通信機器（携帯電話機）２０と通信を行う。通信部６ｂは、基地局９１を介さずに通信機器２０と無線通信を行う。電子機器３０は、通信部６ａ及び通信部６ｂを制御する。電子機器３０は、通信部６ｂによって通信機器２０と無線通信が可能な場合、通信部６ａを停止させるように構成される。【選択図】図２
2014116739.tif 000002
【特許請求の範囲】
【請求項１】
中継器を介して通信機器と通信を行う第１の通信部と、
前記中継器を介さずに前記通信機器と無線通信を行う第２の通信部と、
前記第１の通信部及び前記第２の通信部を制御する制御部とを備え、
前記制御部は、前記第２の通信部によって前記通信機器と無線通信が可能な場合、前記第１の通信部を停止させる電子機器。
【請求項２】
前記制御部は、前記第２の通信部によって前記通信機器と無線通信が不能な場合、前記第１の通信部を動作させる請求項１に記載の電子機器。
【請求項３】
前記第２の通信部によって前記通信機器と無線通信が不能な場合には、前記第２の通信部による無線通信が不安定な場合を含む請求項２に記載の電子機器。
【請求項４】
前記第２の通信部は、近距離無線通信により前記通信機器と無線通信を行う請求項１から３のいずれか１項に記載の電子機器。
【請求項５】
第１の通信部と、第２の通信部と、を備える電子機器の制御方法であって、
前記第１の通信部によって中継器を介して通信機器と通信を行うステップと、
前記第２の通信部によって前記中継器を介さずに前記通信機器と無線通信を行うステップと、
前記第２の通信部によって前記通信機器と無線通信が可能な場合、前記第１の通信部を停止させるステップと
を含む制御方法。
【発明の詳細な説明】
【技術分野】
【０００１】
本出願は、電子機器及び制御方法に関する。
【背景技術】
【０００２】
携帯電話やスマートフォンなどの電子機器には、Ｂｌｕｅｔｏｏｔｈ（登録商標）などの近距離無線による通信及び公衆回線ネットワークを通じた通信を行うことができるものが存在する（特許文献１参照）。
【先行技術文献】
【特許文献】
【０００３】
【特許文献１】特開２００８−１５３９７６号公報
【発明の概要】
【発明が解決しようとする課題】
【０００４】
上記の電子機器のように複数の通信部を備える電子機器は、１つの通信部を備える構成よりも消費電力が増加するおそれがある。このような理由から、複数の通信部を備えても消費電力を抑制することができる電子機器及び制御方法に対するニーズがある。
【課題を解決するための手段】
【０００５】
１つの態様に係る電子機器は、中継器を介して通信機器と通信を行う第１の通信部と、前記中継器を介さずに前記通信機器と無線通信を行う第２の通信部と、前記第１の通信部及び前記第２の通信部を制御する制御部とを備え、前記制御部は、前記第２の通信部によって前記通信機器と無線通信が可能な場合、前記第１の通信部を停止させる。
【０００６】
１つの態様に係る制御方法は、第１の通信部と、第２の通信部と、を備える電子機器の制御方法であって、前記第１の通信部によって中継器を介して通信機器と通信を行うステップと、前記第２の通信部によって前記中継器を介さずに前記通信機器と無線通信を行うステップと、前記第２の通信部によって前記通信機器と無線通信が可能な場合、前記第１の通信部を停止させるステップとを含む。
【図面の簡単な説明】
【０００７】
【図１】図１は、通信システムの例を示す図である。
【図２】図２は、近距離無線通信の状態に応じた制御の例を示す図である。
【図３】図３は、携帯電話機のブロック図である。
【図４】図４は、設定データの例を示す図である。
【図５】図５は、複数の通信部を制御するための処理手順の例を示すフローチャートである。
【図６】図６は、通信システムにおける情報の転送制御の例を示す図である。
【図７】図７は、通信システムにおける情報の転送制御の他の例を示す図である。
【発明を実施するための形態】
【０００８】
本出願を実施するための実施形態を、図面を参照しつつ詳細に説明する。
【０００９】
図１及び図２を参照しながら、実施形態に係る制御方法について説明する。図１は、通信システムの例を示す図である。図１に示すように、通信システム１は、携帯電話機２０及び３０を含む。携帯電話機２０及び３０は、通信機能を有する電子機器（通信機器）である。
【００１０】
携帯電話機２０及び３０は、通信部６ａを有する。携帯電話機２０及び３０は、通信部６ｂをさらに有する。
【００１１】
通信部６ａは、中継器を介して他の通信機器と通信を行うことができるように構成されている。中継器とは、一の通信機器から受信した通信用の信号を他の通信機器へ送信（転送）する装置である。中継器は、受信した信号を他の通信機器へ送信する際に、通信媒体、プロトコル、伝送方式等を受信元と送信先の間で変換してもよい。中継器は、例えば、通信キャリアの基地局、無線ＬＡＮの基地局（アクセスポイント）、ルータ（ネットワークスイッチ）、交換器等を含むが、これに限定されない。通信部６ａは、携帯電話機２０又は３０の移動に応じて、通信を仲介する中継器を他の中継器に切り替えてもよい。
【００１２】
本実施形態において、中継器は、基地局９１である。基地局９１は、通信キャリアの基地局である。携帯電話機２０及び３０の通信部６ａは、基地局９１との無線通信を介して、公衆回線（キャリア回線）ネットワーク９０に接続される。図１に示した例においては、１台の基地局９１のみが図示されているが、基地局９１の数は２以上であってよい。携帯電話機２０の通信部６ａの通信を中継する基地局９１は、携帯電話機３０の通信部６ａの通信を中継する基地局９１と異なってもよい。
【００１３】
通信部６ｂは、中継器を介さずに他の通信機器と通信を行うことができるように構成されている。本実施形態において、通信部６ｂは、近距離無線通信により他の通信機器と通信を行う。
【００１４】
携帯電話機３０は、通信部６ｂによる近距離無線通信の状態に応じて、通信部６ａを制御する。図２に示すステップＳ１１において、携帯電話機３０の通信部６ｂは、近距離無線通信により、携帯電話機２０の通信部６ｂと通信可能である。携帯電話機３０は、通信部６ｂによる携帯電話機２０との近距離無線通信が可能であることを検出すると、通信部６ａを停止させる。すなわち、通信部６ａは、基地局９１との間の無線通信がＯＦＦになる。通信部６ａを停止させることには、例えば、通信部６ａによる無線信号の送受信を停止させること、通信部６ａへの電力供給を遮断すること等が含まれる。通信部６ａが、音声通信、データ通信等の複数の通信をサポートしている場合、携帯電話機３０は、そのうち少なくも１つの通信を停止させてもよい。
【００１５】
このように、通信部６ｂによる携帯電話機２０との近距離無線通信が可能な場合に、通信部６ａを停止させることにより、携帯電話機３０は、通信部６ａによる消費電力を抑制することができる。このため、携帯電話機３０は、通信部６ａ及び通信部６ｂを備えても、消費電力を抑制することができる。ステップＳ１１の状態であっても、携帯電話機３０は、近距離無線通信により、携帯電話機２０と通信することができる。さらに、携帯電話機２０がテザリング等のルーティング機能を有している場合には、携帯電話機３０は、携帯電話機２０を介して、他の通信機器と通信することができる。
【００１６】
図２に示すステップＳ１２では、何らかの理由により、携帯電話機３０は、通信部６ｂによる携帯電話機２０との近距離無線通信が不能になっている。携帯電話機３０は、通信部６ｂによる携帯電話機２０との近距離無線通信が不能であることを検出すると、通信部６ａを動作させる。すなわち、通信部６ａは、基地局９１との間の無線通信がＯＮになる。具体的には、携帯電話機３０は、通信部６ａを基地局９１に無線接続させ、公衆回線ネットワーク９０を介した他の通信機器との通信を可能にする。
【００１７】
このように、通信部６ｂによる携帯電話機２０との近距離無線通信が不能な場合、携帯電話機３０は、通信部６ａを通信可能にする。これにより、携帯電話機３０は、基地局９１を介して、他の通信機器と通信を行うことができる。基地局９１を介する通信の有効化は、近距離無線通信が不能になったことを契機として実行される。このため、利用者は、通信部６ａを動作させるための操作を行わなくてもよく、高い利便性が達成される。さらに、一般に、中継器を介する通信は、中継器を介さない通信よりも長距離で行うことが可能である。このため、例えば、携帯電話機２０及び３０の間の距離が離れたために近距離無線通信が不能になった場合であっても、携帯電話機３０は、上記の制御により、基地局９１を介する通信によって、携帯電話機２０と通信できる可能性がある。
【００１８】
上記の説明では、近距離無線通信が可能な状態から不能な状態に変化する場合の制御について説明したが、逆の場合も同様の制御が実行される。すなわち、ステップＳ１２の状態において通信部６ｂによる携帯電話機２０との近距離無線通信が可能になった場合、携帯電話機３０は、通信部６ａを停止させ、ステップＳ１１の状態へ遷移する。
【００１９】
上記の説明では省略したが、携帯電話機３０は、通信部６ａを停止させているときに近距離無線通信が不能であることを検出すると、通信部６ａによる通信の準備を行う。これにより、携帯電話機３０は、通信部６ｂによる携帯電話機２０との近距離無線通信が不能になった場合に、通信部６ａによる通信を速やかに開始することができる。通信が不安定な場合には、例えば、近距離無線通信の電波強度が劣化した場合、やりとりする信号にノイズが多く品質が悪い場合、受信エラーが閾値よりも多い場合、接続及び切断が発生する頻度が閾値よりも多い場合等が含まれる。通信部６ａによる通信の準備を行うことには、無線信号の送受信は行わないようにしつつ遮断していた通信部６ａへの電力供給を再開すること、基地局との接続シーケンスを位置登録等の途中の手順まで進めること等が含まれる。
【００２０】
携帯電話機３０は、通信部６ａを停止させているときに近距離無線通信が不能であることを検出すると、通信部６ａを動作させるように構成されてもよい。このように構成することにより、携帯電話機３０は、他の通信機器と安定して通信を行うことができる可能性を高めることができる。
【００２１】
通信システム１は、図２に示した制御と連動して、他の制御を実行してもよい。携帯電話機２０及び３０の利用者が同一人物で、この人物は、携帯電話機３０を携帯しているときには携帯電話機２０も携帯するのが通常であるものとする。この場合、携帯電話機３０の通信部６ｂによる携帯電話機２０との近距離無線通信が不能になるということは、利用者が携帯電話機２０を置き忘れた、紛失した、又は盗まれた可能性があることを示す。このため、携帯電話機３０は、通信部６ｂによる携帯電話機２０との近距離無線通信が不能になった場合に、通信部６ａを動作させる制御の完了後に、ロック、測位、報知等の制御の少なくとも１つを実行してもよい。
【００２２】
ロックの制御では、携帯電話機３０は、携帯電話機２０のロックの要求を、基地局９１を介して携帯電話機２０又は通信キャリアの所定の装置へ送信する。携帯電話機２０は、携帯電話機３０からロックの要求を受信した場合、ロック状態に移行する。通信キャリアの装置は、携帯電話機３０から携帯電話機２０のロックの要求を受信した場合、携帯電話機２０を遠隔制御によりロック状態に移行させる。ロック状態は、例えば、操作入力を受け付けなくなる状態、一部の機能の利用が制限される状態などの状態を含む。これにより、携帯電話機３０は、携帯電話機２０が第三者によって不正に使用される可能性を低くすることができる。
【００２３】
携帯電話機３０の通信部６ｂによる携帯電話機２０との近距離無線通信が不能になるということは、利用者が携帯電話機３０を置き忘れた、紛失した、又は盗まれた可能性があることも示す。このため、携帯電話機３０は、通信部６ｂによる携帯電話機２０との近距離無線通信が不能になった場合に、通信部６ａを動作させる制御の完了後に、自らをロック状態に移行させてもよい。これにより、携帯電話機３０は、携帯電話機３０が第三者によって不正に使用される可能性を低くすることができる。通信部６ａを動作させることにより、携帯電話機３０は、基地局９１を介した携帯電話機２０等からのロックの要求等に対応することもできる。
【００２４】
利用者が携帯電話機３０を置き忘れた、又は紛失した場合、携帯電話機３０は、通常、静止しているものと想定される。そのため、携帯電話機３０に位置、加速度、振動、向きの変化等を検出するセンサを設け、携帯電話機３０が、通信部６ｂによる携帯電話機２０との近距離無線通信が不能になった場合にこのセンサの検出に応じて動作を変更するように構成してもよい。具体的には、携帯電話機３０は、通信部６ｂによる携帯電話機２０との近距離無線通信が不能になった場合に、センサの検出が、携帯電話機３０が静止していることを示していれば、自らをロック状態に移行させる。一方、携帯電話機３０は、通信部６ｂによる携帯電話機２０との近距離無線通信が不能になった場合に、センサの検出が、携帯電話機３０が静止していることを示していなければ、携帯電話機２０のロックの要求を送信する。位置、加速度、振動、向きの変化等を検出するセンサは、例えば、加速度センサ、ＧＰＳレシーバ、方位センサ、ジャイロスコープ等である。
【００２５】
測位の制御では、携帯電話機３０は、測位の要求を、基地局９１を介して携帯電話機２０へ送信する。携帯電話機２０は、携帯電話機３０から測位の要求を受信した場合、測位処理によって現在の位置を示す位置情報を取得する。携帯電話機２０は、取得した位置情報を、基地局９１を介して携帯電話機３０に送信する。そして、携帯電話機３０は、受信した位置情報を利用者に報知する。これにより、携帯電話機３０は、携帯電話機２０の置き忘れ等の可能性、及び携帯電話機２０の現在位置を利用者に知らせることができる。測位処理は、例えば、ＧＰＳレシーバが衛星から受信する信号、通信部６ａと接続されている基地局９１の少なくとも一方に基づいて実現できる。
【００２６】
携帯電話機３０の通信部６ｂによる携帯電話機２０との近距離無線通信が不能になるということは、利用者が携帯電話機３０を置き忘れた、紛失した、又は盗まれた可能性があることも示す。このため、携帯電話機３０は、通信部６ｂによる携帯電話機２０との近距離無線通信が不能になった場合に、通信部６ａを動作させる制御の完了後に、測位処理を実行し、取得した位置情報を、基地局９１を介して携帯電話機２０に送信してもよい。通信部６ａを動作させる制御の完了後は、携帯電話機３０は、少なくとも、通信部６ａと接続されている基地局９１に基づく測位処理を実行することができる。
【００２７】
上述したように、利用者が携帯電話機３０を置き忘れた、又は紛失した場合、携帯電話機３０は、通常、静止しているものと想定される。そのため、携帯電話機３０が、通信部６ｂによる携帯電話機２０との近距離無線通信が不能になった場合に、携帯電話機３０が静止していることが検出されているか否かに応じて動作を変更するように構成してもよい。具体的には、携帯電話機３０は、通信部６ｂによる携帯電話機２０との近距離無線通信が不能になった場合に、携帯電話機３０が静止していることが検出されていれば、測位処理を実行し、位置情報を送信する。一方、携帯電話機３０は、通信部６ｂによる携帯電話機２０との近距離無線通信が不能になった場合に、携帯電話機３０が静止していることが検出されていなければ、測位の要求を、基地局９１を介して携帯電話機２０へ送信する。
【００２８】
報知の制御では、携帯電話機３０は、報知の要求を、基地局９１を介して携帯電話機２０へ送信する。携帯電話機２０は、携帯電話機３０から報知の要求を受信した場合、音、振動、光等による報知を実行する。これにより、携帯電話機３０は、携帯電話機２０の置き忘れ等の可能性があること等を利用者又は携帯電話機２０の周囲の人物に知らせることができる。
【００２９】
携帯電話機３０の通信部６ｂによる携帯電話機２０との近距離無線通信が不能になるということは、利用者が携帯電話機３０を置き忘れた、紛失した、又は盗まれた可能性があることも示す。携帯電話機３０から報知の要求に基づいて携帯電話機２０が報知を行ったときに利用者が携帯電話機２０を携帯していれば、利用者は、携帯電話機２０ではなく、携帯電話機３０を置き忘れた、紛失した、又は盗まれた可能性があることに気付くことができる。
【００３０】
通信システム１は、基地局９１を介さない通信（近距離無線通信）、又は基地局９１を介した通信により、携帯電話機２０及び３０の間で以下の機能を実現してもよい。
【００３１】
上記の通信システム１は、例えば、着信通知機能、位置通知機能、情報共有機能、ストレージ機能等の機能を実現することができる。着信通知機能は、携帯電話機２０で電話又はメールが着信したことを、携帯電話機３０が報知する機能である。位置通知機能は、携帯電話機２０及び携帯電話機３０の一方が現在位置を他方に通知する機能である。情報共有機能は、携帯電話機２０及び携帯電話機３０が、通信により、他方の携帯電話機と電池残量情報等の機器の状態を示す情報等を共有する機能である。ストレージ機能は、携帯電話機２０及び携帯電話機３０が、通信により、他方の携帯電話機のストレージに対するデータの読み書きを行う機能である。
【００３２】
上述したように、図２に示した制御によれば、携帯電話機２０及び３０の間で、近距離無線通信が可能な場合はもちろん、近距離無線通信が不能の場合でも、通信が可能である可能性が高い。このため、利用者は、近距離無線通信が可能であるか否かを余り気にせずに、携帯電話機２０及び３０の間で実現される上記の機能を利用することができる。
【００３３】
次に、図３及び図４を参照しながら、図１及び図２に示した携帯電話機３０の構成について説明する。
【００３４】
図３は、携帯電話機３０のブロック図である。図３に示すように、携帯電話機３０は、表示部２と、操作部３と、電源部５と、通信部６ａと、通信部６ｂと、レシーバ７と、マイク８と、記憶部９と、制御部１０と、スピーカ１１と、振動部１５と、ランプ１６とを有する。
【００３５】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）等の表示パネルを有する。表示部２は、制御部１０から入力される信号に応じて、文字、図形、画像等の情報を表示する。表示部２が表示する情報には、報知のための画面、アイコン等が含まれる。
【００３６】
操作部３は、利用者の操作を受け付けるための１ないし複数のデバイスを有する。利用者の操作を受け付けるためのデバイスは、例えば、キー、ボタン等を含む。操作部３は、受け付けた操作に応じた信号を制御部１０へ入力する。
【００３７】
電源部５は、蓄電池等の電池を有する。電源部５は、電池から得られる電力を、制御部１０を含む携帯電話機３０の各機能部へ供給する。
【００３８】
通信部６ａは、中継器を介して行われる第１の通信方式で通信を行う通信部である。本実施形態において、第１の通信方式は、基地局９１及び公衆回線ネットワーク９０を介して通信を行うための２Ｇ、３Ｇ、４Ｇ等の通信方式である。基地局９１及び公衆回線ネットワーク９０を介して通信を行うための通信規格には、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等が含まれる。第１の通信方式は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のように基地局９１及び公衆回線ネットワーク９０を介してデータ通信を行うための通信方式であってもよい。通信部６ａは、基地局９１及び公衆回線ネットワーク９０を介して通信を行うための複数の通信方式をサポートしてもよい。
【００３９】
通信部６ｂは、中継器を介さずに行われる第２の通信方式で通信を行う通信部である。本実施形態において、第２の通信方式は、近距離無線通信方式である。近距離無線通信方式には、Ｂｌｕｅｔｏｏｔｈ（登録商標）、ＺｉｇＢｅｅ、赤外線通信、可視光通信、ＮＦＣ（Ｎｅａｒ  Ｆｉｅｌｄ  Ｃｏｍｍｕｎｉｃａｔｉｏｎ）等が含まれる。通信部６ｂは、複数の近距離無線通信方式をサポートしてもよい。
【００４０】
レシーバ７及びスピーカ１１は、音出力部である。レシーバ７及びスピーカ１１は、制御部１０から入力される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換して制御部１０へ入力する。
【００４１】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４２】
記憶部９は、例えば、制御プログラム９ａ及び設定データ９ｂを記憶する。制御プログラム９ａは、携帯電話機３０を稼働させるための各種制御に関する機能を提供する。制御プログラム９ａは、通信部６ｂによる近距離無線通信の状態に応じて、通信部６ａを制御する機能を提供する。設定データ９ｂは、携帯電話機３０の動作に関する各種の設定に関する情報を含む。
【００４３】
図４を参照しながら、設定データ９ｂについて説明する。図４は、設定データ９ｂの例を示す図である。図４に示すように、設定データ９ｂは、ペアリング情報、電話番号といった項目を含む。ペアリング情報の項目には、近距離無線通信が可能か否かを判定する対象の通信機器と近距離無線通信を行うための情報が設定される。電話番号の項目には、近距離無線通信が可能か否かを判定する対象の通信機器の電話番号が設定される。本実施形態において、近距離無線通信が可能か否かを判定する対象の通信機器は、携帯電話機３０である。
【００４４】
設定データ９ｂは、図４に示す例に限定されない。例えば、設定データ９ｂは、近距離無線通信が可能か否かを判定する対象の通信機器のメールアドレス、ＩＰアドレス等を含むように構成されてもよい。
【００４５】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１０は、携帯電話機３０の動作を統括的に制御して各種の機能を実現する。
【００４６】
具体的には、制御部１０は、記憶部９に記憶されているデータを必要に応じて参照しつつ、記憶部９に記憶されているプログラムに含まれる命令を実行する。そして、制御部１０は、データ及び命令に応じて機能部を制御し、それによって各種機能を実現する。機能部は、例えば、表示部２、通信部６ａ及び６ｂ、レシーバ７、スピーカ１１、振動部１５、及びランプ１６を含むが、これらに限定されない。制御部１０は、検出部の検出結果に応じて、制御を変更することがある。検出部は、例えば、操作部３、通信部６ａ及び６ｂ、及びマイク８を含むが、これらに限定されない。
【００４７】
制御部１０は、制御プログラム９ａを実行することにより、図２に示した制御方法における携帯電話機３０の動作を実行する。制御部１０が制御プログラム９ａに基づいて行う処理手順の詳細については、後述する。
【００４８】
振動部１５は、携帯電話機３０を振動させる。振動部１５は、携帯電話機３０を振動させるために、例えば、圧電素子、又は偏心モータを用いる。ランプ１６は、設定された色及びパターンで発光する。ランプ１６は、ＬＥＤ（Ｌｉｇｈｔ  Ｅｍｉｔｔｉｎｇ  Ｄｉｏｄｅ）等の光源を有し、光源の発する光が外部から視認できるように携帯電話機３０に搭載される。表示部２、スピーカ１１、振動部１５及びランプ１６は、電話の着信、メールの受信、スケジュールに登録された時刻の到来等を利用者に報知するために用いられる。
【００４９】
次に、図５を参照しながら、携帯電話機３０の制御部１０が制御プログラム９ａに基づいて行う処理手順について説明する。図５は、複数の通信部を制御するための処理手順の例を示すフローチャートである。図５に示す処理手順は、繰り返して実行される。
【００５０】
図５に示すように、携帯電話機３０の制御部１０は、ステップＳ１０１として、通信部６ｂによる対象機器との通信が可能であるかを判定する。すなわち、携帯電話機３０の制御部１０は、中継器を介さずに対象機器との通信が可能であるかを判定する。通信部６ｂによる対象機器との通信が可能である場合（ステップＳ１０１，Ｙｅｓ）、制御部１０は、ステップＳ１０２に進む。
【００５１】
制御部１０は、ステップＳ１０２として、通信部６ａが動作中であるかを判定する。ステップＳ１０２においては、制御部１０は、通信部６ａが通信の準備中である場合には、通信部６ａが動作中ではないと判定する。通信部６ａが動作中でない場合（ステップＳ１０２，Ｎｏ）、制御部１０は、ステップＳ１０４に進む。
【００５２】
通信部６ａが動作中である場合（ステップＳ１０２，Ｙｅｓ）、制御部１０は、ステップＳ１０３に進む。制御部１０は、ステップＳ１０３として、通信部６ａを停止させる。そして、制御部１０は、ステップＳ１０４に進む。
【００５３】
制御部１０は、ステップＳ１０４として、通信部６ｂの通信状態を判定する。通信部６ｂによる通信が不安定である場合（ステップＳ１０５，Ｙｅｓ）、制御部１０は、ステップＳ１０６に進む。制御部１０は、ステップＳ１０６として、通信部６ａによる通信が準備中であるかを判定する。通信部６ａによる通信が準備中でない場合（ステップＳ１０６，Ｎｏ）、制御部１０は、ステップＳ１０７へ進む。制御部１０は、ステップＳ１０７として、通信部６ａによる通信の準備を開始し、本処理手順を終了する。通信部６ａによる通信が準備中である場合（ステップＳ１０６，Ｙｅｓ）、制御部１０は、通信部６ａによる通信が準備中のままで、本処理手順を終了する。
【００５４】
ステップＳ１０５において、通信部６ｂによる通信が不安定でない場合（ステップＳ１０５，Ｎｏ）、制御部１０は、ステップＳ１０８に進む。制御部１０は、ステップＳ１０８として、通信部６ａによる通信が準備中であるかを判定する。通信部６ａによる通信が準備中である場合（ステップＳ１０８，Ｙｅｓ）、制御部１０は、ステップＳ１０９へ進む。制御部１０は、ステップＳ１０９として、通信部６ａによる通信の準備を中止し、本処理手順を終了する。通信部６ａによる通信が準備中でない場合（ステップＳ１０８，Ｎｏ）、制御部１０は、通信部６ａによる通信の準備が開始されていないままで、本処理手順を終了する。
【００５５】
ステップＳ１０１において、通信部６ｂによる対象機器との通信が可能でない場合（ステップＳ１０１，Ｎｏ）、制御部１０は、ステップＳ１１０へ進む。制御部１０は、ステップＳ１１０として、通信部６ａが停止中であるかを判定する。ステップＳ１１０においては、制御部１０は、通信部６ａが通信の準備中である場合には、通信部６ａが停止中であると判定する。通信部６ａが停止中の場合（ステップＳ１１０，Ｙｅｓ）、制御部１０は、ステップＳ１１１に進む。
【００５６】
制御部１０は、ステップＳ１１１として、通信部６ａを動作させる。具体的には、制御部１０は、基地局９１及び公衆回線ネットワーク９０を介した他の通信機器との通信を可能にする。そして、制御部１０は、本処理手順を終了する。ステップＳ１１０において、通信部６ａが停止中でない場合（ステップＳ１１０，Ｎｏ）、制御部１０は、通信部６ａが動作しているままで、本処理手順を終了する。
【００５７】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００５８】
例えば、図３に示したプログラムは、複数のモジュールに分割されていてもよいし、他のプログラムと結合されていてもよい。
【００５９】
携帯電話機３０は、近距離無線通信が不能になると、通信部６ａを動作させて、基地局９１を介した携帯電話機２０との通信を可能にする。このときに、携帯電話機３０は、通信部６ａを動作させたことを、通信部６ａを介して携帯電話機２０に通知してもよい。
【００６０】
通信システム１は、近距離無線通信が可能で、且つ携帯電話機３０の通信部６ａが停止している場合に、携帯電話機２０が、受信した情報を、通信部６ｂによる近距離無線通信を介して携帯電話機３０に転送するように構成されてもよい。
【００６１】
図６は、通信システム１における情報の転送制御の例を示す図である。図６に示す例では、携帯電話機２０は、基地局９１及び公衆回線ネットワーク９０を介してサーバ５０と通信が可能となっている。携帯電話機３０は、通信部６ｂによる携帯電話機３０との近距離無線通信が可能であるために、通信部６ａを停止させている。
【００６２】
サーバ５０は、電子メールを配送する。サーバ５０は、公衆回線ネットワーク９０を介して携帯電話機２０及び３０と通信可能なように構成されている。サーバ５０は、携帯電話機２０及び３０からの受信要求に応じてメールを配送する。
【００６３】
携帯電話機２０は、携帯電話機３０宛のメールを受信するために必要なアカウント情報等の情報を記憶しており、この情報を用いて携帯電話機３０宛の新着メールの有無をサーバ５０に問い合わせるように構成されている。図６に示すステップＳ３１として、携帯電話機２０は、通信部６ａによる基地局９１を介した通信により、携帯電話機３０宛の新着メールの有無をサーバ５０に問い合わせる。携帯電話機２０は、通信部６ａによる基地局９１を介した通信により、問い合わせ結果を受信する。携帯電話機２０は、ステップＳ３２として、通信部６ｂによる近距離無線通信により、問い合わせ結果を携帯電話機３０に転送（送信）する。
【００６４】
携帯電話機３０は、通信部６ｂによる近距離無線通信により、携帯電話機２０から問い合わせ結果を受信すると、問い合わせ結果を報知する。このように、携帯電話機３０は、通信部６ａを停止させていても、携帯電話機３０宛の新着メールに関する情報を得ることができる。そして、携帯電話機３０は、利用者から新着メールの受信が指示された場合に、通信部６ａを動作させ、サーバ５０から新着メールを受信する。携帯電話機３０は、新着メールの受信が終了すると、通信部６ａを停止させる。
【００６５】
図６では、携帯電話機２０がサーバ５０から受信した新着メールの問い合わせ結果を、通信部６ｂによる近距離無線通信を介して携帯電話機３０に転送する場合について説明したが、携帯電話機２０が転送する情報は、これに限定されない。例えば、携帯電話機２０が受信して転送する情報は、携帯電話機３０のアップデートに関する情報であってもよい。
【００６６】
図７は、通信システム１における情報の転送制御の他の例を示す図である。図７に示す例では、携帯電話機２０は、基地局９１及び公衆回線ネットワーク９０を介してサーバ５１と通信が可能となっている。携帯電話機３０は、通信部６ｂによる携帯電話機３０との近距離無線通信が可能であるために、通信部６ａを停止させている。
【００６７】
サーバ５１は、アップデートデータを管理する。サーバ５１は、公衆回線ネットワーク９０を介して携帯電話機２０及び３０と通信可能なように構成されている。サーバ５１は、アップデートデータを、アップデートされるソフトウェアを識別するための識別情報と、アップデート後のソフトウェアの新しさを示すバージョン情報とに対応付けて記憶する。
【００６８】
サーバ５１は、アップデートに関する問い合わせを受け付ける。アップデートに関する問い合わせは、例えば、アップデートされるソフトウェアを識別するための識別情報を含む。サーバ５１は、アップデートに関する問い合わせを受け付けると、対応する最新のアップデートデータのバージョン情報を取得し、取得したバージョン情報を問い合わせ元へ応答する。
【００６９】
サーバ５１は、アップデートデータの送信要求を受け付ける。アップデートデータの送信要求は、例えば、アップデートされるソフトウェアを識別するための識別情報を含む。サーバ５１は、アップデートデータの送信要求を受け付けると、識別番号によって識別されるソフトウェアに対応する最新のアップデートデータを取得し、取得したアップデートデータを要求元へ送信する。
【００７０】
携帯電話機２０は、携帯電話機３０のソフトウェア情報を記憶している。ソフトウェア情報は、携帯電話機３０に導入されているソフトウェア毎に、識別情報及びバージョン情報を保持する。
【００７１】
図７に示すステップＳ４１として、携帯電話機２０は、通信部６ａによる通信により、携帯電話機３０のアップデートに関する問い合わせをサーバ５１に対して行う。サーバ５１は、携帯電話機２０からの問い合わせを受け付けると、ステップＳ４２として、応答を携帯電話機２０へ送信する。携帯電話機２０は、ステップＳ４２でのサーバ５１の応答に基づいて、携帯電話機３０に導入されているソフトウェアのアップデートの要否を判定する。
【００７２】
携帯電話機３０に導入されているソフトウェアのアップデートが必要な場合、携帯電話機２０は、ステップＳ４３として、通信部６ａによる通信により、サーバ５１に携帯電話機３０のアップデートデータの送信要求を送信する。そして、サーバ５１は、携帯電話機２０からアップデートデータの送信要求を受け付けると、ステップＳ４４として、要求されたアップデートデータを携帯電話機２０に送信する。
【００７３】
携帯電話機２０は、アップデートデータを受信すると、ステップＳ４５として、通信部６ｂによる近距離無線通信により、アップデートデータを携帯電話機３０に送信する。携帯電話機３０は、受信したアップデートデータに基づいてソフトウェアのアップデートを実行する。携帯電話機３０は、アップデートが終了すると、ステップＳ４６として、通信部６ｂによる近距離無線通信により、アップデート結果を携帯電話機２０に送信する。アップデート結果には、例えば、アップデートが成功したか否かを示す情報が含まれる。そして、携帯電話機２０は、携帯電話機３０からアップデート結果を受信すると、表示部２への表示等により、アップデート結果に含まれる情報を利用者に報知する。
【００７４】
上記の実施形態では、中継器を介さない通信の状態に応じて中継器を介して通信を行う電子機器の例として、携帯電話機（より具体的には、携帯電話機３０）について説明したが、かかる制御を行う電子機器は、携帯電話機に限定されない。上記の制御を行う電子機器は、携帯電話機以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。上記の制御を行う電子機器は、携帯電子機器と組み合わせて利用される、アクセサリ機器であってもよい。上記の制御を行う電子機器は、携帯電子機器以外の電子機器であってもよい。
【００７５】
上記の実施形態では、中継器を介さない通信が可能であるか否かを判定する対象の装置として、携帯電話機（より具体的には、携帯電話機２０）について説明したが、対象の装置は、携帯電話機に限定されない。対象の装置は、上記の制御を行う電子機器がサポートする、中継器を介した通信と、中継器を介さない通信とによって、上記の制御を行う電子機器が通信可能な装置であればよい。対象の装置は、携帯電子機器であってもよいし、携帯電子機器でなくてもよい。
【００７６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００７７】
１  通信システム
２  表示部
３  操作部
５  電源部
６ａ、６ｂ  通信部
７  レシーバ
８  マイク
９  記憶部
９ａ  制御プログラム
９ｂ  設定データ
１０  制御部
１１  スピーカ
１５  振動部
１６  ランプ
２０  携帯電話機
３０  携帯電話機
５０、５１  サーバ
９０  公衆回線ネットワーク
９１  基地局
【図１】
2014116739.tif 000003
【図２】
2014116739.tif 000004
【図３】
2014116739.tif 000005
【図４】
2014116739.tif 000006
【図５】
2014116739.tif 000007
【図６】
2014116739.tif 000008
【図７】
2014116739.tif 000009